【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
遊技領域に遊技球を打込んで遊技が行なわれ、該遊技領域に設けられた入賞口に入賞した遊技球を所定の上限個数まで貯留する貯留部と、該貯留部に貯留させた遊技球を演出に使用するために放出する放出装置とを備えてなる遊技機であって、
前記入賞口に入賞した遊技球を検出する検出手段と、
該検出手段により検出された遊技球を前記貯留部へ誘導するための誘導通路と、
前記貯留部の入口縁部に形成され、前記誘導通路内の遊技球を前記貯留部へ導くための誘導片と、
該誘導片により前記貯留部と区画され、前記貯留部に貯留しきれない上限個数目以降の遊技球を遊技機外へ排出するための排出部とを含み、
前記誘導通路と前記貯留部とは、前記誘導通路における出側端部の中心位置が、前記貯留部における入口の中心位置よりも前記排出部側に偏在した位置関係で形成され、
前記誘導片は、前記誘導通路の中心位置から前記排出部側に偏在した位置で、かつ、前記貯留部において前記上限個数の遊技球が貯留されたときに前記上限個数目の遊技球の方が前記誘導通路側に突出する態様となる位置に設けられ、
前記貯留部に前記上限個数の遊技球が貯留されているときに、前記誘導通路により誘導されてきた遊技球が、前記貯留部に貯留された前記上限個数目の遊技球の中心よりも前記排出部側に偏った位置に衝突することに基づいて、前記排出部へ誘導されることを特徴とする、遊技機。
【請求項２】
前記検出手段は、
前記誘導通路における第１の検出位置で遊技球を検出して第１の検出信号を出力する第１遊技球検出手段と、
前記誘導通路における前記第１の検出位置よりも下流側の第２の検出位置で遊技球を検出して第２の検出信号を出力する第２遊技球検出手段とを含み、
前記第１遊技球検出手段から出力された前記第１の検出信号と前記第２遊技球検出手段から出力された前記第２の検出信号とに基づいて、入賞した遊技球の検出に異常が生じたか否かを判定する異常判定手段をさらに含み、
前記第１遊技球検出手段と前記第２遊技球検出手段とは、遊技球の検出方式が異なることを特徴とする、請求項１に記載の遊技機。
【請求項３】
前記入賞口として、
前記遊技領域における第１の領域に設けられた第１の入賞口と、
前記遊技領域における第２の領域に設けられた第２の入賞口とを含み、
前記貯留部として、
前記第１の入賞口に入賞した遊技球を第１の上限個数まで貯留する第１の貯留部と、
前記第２の入賞口に入賞した遊技球を第２の上限個数まで貯留する第２の貯留部とを含み、
前記放出装置として、
前記第１の貯留部に貯留させた遊技球を放出する第１の放出装置と、
前記第２の貯留部に貯留させた遊技球を放出する第２の放出装置とを含み、
前記検出手段として、
前記第１の入賞口に入賞した遊技球を検出する第１の検出手段と、
前記第２の入賞口に入賞した遊技球を検出する第２の検出手段とを含み、
前記誘導通路として、
前記第１の検出手段により検出された遊技球を前記第１の貯留部へ誘導するための第１の誘導通路と、
前記第２の検出手段により検出された遊技球を前記第２の貯留部へ誘導するための第２の誘導通路とを含み、
前記排出部として、
前記第１の貯留部に貯留しきれない第１の上限個数目以降の遊技球を遊技機外へ排出するための第１の排出部と、
前記第２の貯留部に貯留しきれない第２の上限個数目以降の遊技球を遊技機外へ排出するための第２の排出部とを含み、
前記誘導片は、前記第１の貯留部および前記第２の貯留部の少なくとも一方の入口縁部に形成され、対応関係にある前記貯留部と前記排出部とを区画し、対応関係にある前記誘導通路内の遊技球を前記貯留部へ導き、
遊技状態に応じて、前記第１の入賞口と前記第２の入賞口との遊技球の入賞しやすさの関係を変化させる制御を行なう入賞容易化制御手段をさらに含むことを特徴とする、請求項１または２に記載の遊技機。
【請求項４】
前記第１の貯留部と前記第２の貯留部とのうち、前記入賞容易化制御手段の制御状態に応じて、前記第１の放出装置と前記第２の放出装置とのうちから一方の放出装置を選択し、選択した放出装置により遊技球を放出させる制御を行なう演出実行手段をさらに含むことを特徴とする、請求項３に記載の遊技機。
【請求項５】
前記第１の貯留部に貯留されている遊技球数を検出する第１の貯留数検出手段と、
前記第２の貯留部に貯留されている遊技球数を検出する第２の貯留数検出手段とをさらに含み、
前記演出実行手段は、
放出する遊技球数を決定する放出数決定手段と、
前記第１の貯留数検出手段または前記第２の貯留数検出手段による遊技球数の検出に基づいて、選択した一方の前記放出装置から放出可能な遊技球数が、前記放出数決定手段により決定された遊技球数に対して不足するか否かを判定する判定手段と、
該判定手段により不足しないと判定されたときに、前記放出数決定手段により決定された数の遊技球を、選択した一方の前記放出装置のみにより放出させる制御を行なう第１の放出制御手段と、
前記判定手段により不足すると判定されたときに、前記放出数決定手段により決定された数の遊技球を、選択した一方の前記放出装置、および、選択されていない他方の前記放出装置の両方により放出させる制御を行なう第２の放出制御手段とを含むことを特徴とする、請求項４に記載の遊技機。
【手続補正２】
【補正対象書類名】明細書
【補正対象項目名】００１２
【補正方法】変更
【補正の内容】
【００１２】
（３）  前記入賞口として、
前記遊技領域における第１の領域に設けられた第１の入賞口（第１始動入賞口１３）と、
前記遊技領域における第２の領域に設けられた第２の入賞口（第２始動入賞口１４）とを含み、
前記貯留部として、
前記第１の入賞口に入賞した遊技球を第１の上限個数まで貯留する第１の貯留部（第２貯留部６２０と同様の構成を有する第１貯留部）と、
前記第２の入賞口に入賞した遊技球を第２の上限個数まで貯留する第２の貯留部（第２貯留部６２０）とを含み、
前記放出装置として、
前記第１の貯留部に貯留させた遊技球を放出する第１の放出装置（第２放出ソレノイド８６と同様の構成を有する第１放出ソレノイド）と、
前記第２の貯留部に貯留させた遊技球を放出する第２の放出装置（第２放出ソレノイド８６）とを含み、
前記検出手段として、
前記第１の入賞口に入賞した遊技球を検出する第１の検出手段（第１始動口第１スイッチ１３ａ、第１始動口第２スイッチ１３ｂ）と、
前記第２の入賞口に入賞した遊技球を検出する第２の検出手段（第２始動口第１スイッチ１４ａ、第２始動口第２スイッチ１４ｂ）とを含み、
前記誘導通路として、
前記第１の検出手段により検出された遊技球を前記第１の貯留部へ誘導するための第１の誘導通路（第２誘導部６１０と同様の構成を有する第１誘導部）と、
前記第２の検出手段により検出された遊技球を前記第２の貯留部へ誘導するための第２の誘導通路（第２誘導部６１０）とを含み、
前記排出部として、
前記第１の貯留部に貯留しきれない第１の上限個数目以降の遊技球を遊技機外へ排出するための第１の排出部（第２排出部６４０と同様の構成を有する第１排出部）と、
前記第２の貯留部に貯留しきれない第２の上限個数目以降の遊技球を遊技機外へ排出するための第２の排出部（第２排出部６４０）とを含み、
前記誘導片は、前記第１の貯留部および前記第２の貯留部の少なくとも一方の入口縁部に形成され（図７）、対応関係にある前記貯留部と前記排出部とを区画し、対応関係にある前記誘導通路内の遊技球を前記貯留部へ導き（図４）、
遊技状態に応じて、前記第１の入賞口と前記第２の入賞口との遊技球の入賞しやすさの関係を変化させる制御を行なう入賞容易化制御手段（遊技制御用マイクロコンピュータ５６０、図３５のＳ１６１，Ｓ１６４，図３７のＳ３１１，Ｓ３１４）をさらに含む。